(57)【要約】【課題】プロジェクタが有する撮像部を使用し、無線通信を介した使い勝手の良い文字認識機能を実現する。【解決手段】ＰＤＡ１から無線ＬＡＮデバイス１３を用いてワイヤレスプロジェクタ２に対し、撮影コマンドを無線信号によって送信する。ワイヤレスプロジェクタ２はこのコマンドを受信し、撮像部２３を用いて撮影を行い、撮影した画像データを圧縮する。ワイヤレスプロジェクタ２は圧縮画像データを無線信号によって送信する。ＰＤＡ１はこの画像データを受信し、復号処理を行った後、文字認識プログラム１５により、文字認識を行う。【選択図】  図１
2004260511.tif 000002
【特許請求の範囲】
【請求項１】
撮像部を有する外部機器との無線通信を実行可能な情報処理装置において、
前記外部機器に対し、無線通信により前記撮像部による撮影を指示するコマンドを送信する送信部と、
前記外部機器から、無線通信により前記撮像部が撮影した画像データを受信する受信部と、
前記外部機器から受信した画像データに基づき、文字認識処理を実行し、テキストデータを作成する文字認識処理部と、
前記テキストデータを表示する表示部とを具備することを特徴とする情報処理装置。
【請求項２】
前記情報処理装置は更に、前記外部機器に対し、無線通信により画像データを入手するためのコマンドを送信する第二の送信部を具備することを特徴とする請求項１記載の情報処理装置。
【請求項３】
前記情報処理装置は更に、前記テキストデータ変換部が変換したテキストデータをテキストファイルとして格納する格納部を具備することを特徴とする請求項１又は２記載の情報処理装置。
【請求項４】
前記情報処理装置は更に、前記受信部が受信した画像データが圧縮された画像データであった場合、これを復号する画像復号部を具備することを特徴とする請求項１記載の情報処理装置。
【請求項５】
前記情報処理装置は、更に、タブレット入力部を具備し、前記表示部は前記画像データを入手するためのコマンドの送信指示を行うための入力ボタンを表示し、前記タブレット入力部のうち、前記入力ボタンに対応する部分を指定することで、コマンド送信指示を実行することを特徴とする請求項２記載の情報処理装置。
【請求項６】
撮像部と、
前記撮像部が撮影した画像を外部に対して投影する投影部と、
前記撮像部により画像を撮影するよう、外部からのコマンドを受信する受信部と、
前記受信部が受信したコマンドに応じて前記撮像部が撮影した画像を、圧縮処理する画像処理部と、
前記画像処理部が圧縮処理した圧縮画像を送信する送信部とを具備することを特徴とする画像投影装置。
【請求項７】
前記受信部は無線によりコマンドを受信し、前記送信部は無線により圧縮静止画像を送信することを特徴とする請求項６記載の情報処理装置。
【請求項８】
撮像部と、前記撮像部が撮影した画像を外部に対して投影する投影部と、前記撮像部により画像を撮影するよう、外部からのコマンドを無線通信により受信する受信部と、前記受信部が受信したコマンドに応じて前記撮像部が撮影した画像データを圧縮処理する画像処理部と、前記画像処理部が圧縮処理した圧縮画像データを無線通信により送信する送信部とを具備する画像投影装置と、
前記画像投影装置に対し、無線通信により前記撮像部による静止画の撮影を指示するコマンドを送信する送信部と、前記外部機器から、無線通信により前記撮像部が撮影した画像データを受信する受信部と、前記外部機器からの画像データに基づき、文字認識処理を実行し、テキストデータを作成する文字認識処理部と、前記文字認識処理部により作成されたテキストデータを表示する表示部とを具備する情報処理装置と、を有することを特徴とする情報処理システム。
【請求項９】
無線接続された情報処理装置と画像投影装置とで画像イメージ情報を処理する情報処理方法であって、
前記情報処理装置から前記画像投影装置へ無線により撮影を指示する撮影指示ステップと、
前記画像投影装置が前記撮影の指示を受けて撮影を行う撮影ステップと、
前記画像投影装置が撮影ステップで撮影した画像データを圧縮して圧縮画像データを作成する圧縮ステップと、
前記情報処理装置から前記画像投影装置に対し、前記圧縮画像データを前記情報処理装置に対して送信するよう、無線により指示する送信指示ステップと、
前記送信指示ステップの指示により送信された圧縮画像データを前記情報処理装置において復号する復号ステップと、
前記復号ステップにより復号された画像データをもとに、前記情報処理装置において文字認識処理を実行する文字認識ステップとを具備することを特徴とする情報処理方法。
【発明の詳細な説明】
【０００１】
【発明の属する技術分野】
本発明は例えばＰＤＡ（Ｐｅｒｓｏｎａｌ  Ｄｉｇｉｔａｌ  Ａｓｓｉｓｔａｎｔｓ）のような情報処理装置および液晶プロジェクタのような画像投影装置、これらの情報処理装置からなる情報処理装置システム、及び情報処理方法に関する。
【０００２】
【従来の技術】
近年、ＰＤＡ、ノートブック型パーソナルコンピュータのような様々な携帯型情報処理装置が開発されている。多くの携帯型情報処理装置は無線通信機能を有しており、他の情報処理装置および各種コンシューマ電子機器に無線接続することができる。
【０００３】
情報処理装置の無線通信機能を用いた応用システムとしては、情報処理装置から無線によって送信される画像データをプロジェクタによって大型スクリーンに表示するという情報表示システムが知られている（例えば、特許文献１参照。）。この情報表示システムにおいては、情報処理装置の記憶装置に蓄積された画像データが、無線によってプロジェクタに送信される。
【０００４】
また、画像投影装置が資料として投影した画像に関して、文字認識を行い、認識後のデータを用いて情報処理を行うためには、画像投影装置が使用したドキュメントを別途スキャナ等の装置にて読取り処理を行い、読取り後の画像データに基づいて文字認識処理を行う必要があった。
【０００５】
なお、画像投影装置にＣＣＤカメラを使用した装置の例として、ＣＣＤカメラＯＨＰに関する公開特許公報がある（特許文献２参照。）。
【０００６】
また、本発明に関連する、撮像装置と文字認識機能との組合せに関する装置の例として、デジタルカメラに文字認識機能を組み合わせたものが知られている（例えば特許文献３参照。）このデジタルカメラにおいては、撮影した画像に含まれる文字の画像をもとに、文字認識機能を実行し、テキストデータとして出力する。
【０００７】
【特許文献１】
特開２００２−２１８４２０号公報（第２頁、図１）
【特許文献２】
特開平７−２５０２６７号公報（第２頁、図１）
【特許文献３】
特開平１１−１６７５３２号公報（第５頁、第６頁、図１）
【０００８】
【発明が解決しようとする課題】
従来、文字認識機能に関して、撮像部を具備しないＰＤＡのような情報処理装置と、撮像部として書画カメラを具備したプロジェクタのような画像投影装置とが連携して、文字認識機能を実現するような情報処理システム等は存在しなかった。
【０００９】
また、情報処理装置とプロジェクタとを無線接続する環境においては、通常、利用可能な通信帯域は制限されるため、画面イメージを無線によって効率よく送信する工夫が必要になる。
【００１０】
本発明は上述の事情を考慮してなされたものであり、無線を用いた文字認識機能の実現を可能とする、ＰＤＡのような情報処理装置や、画像投影装置、情報処理システム及び情報処理方法を提供することを目的とする。
【００１１】
【課題を解決するための手段】
本発明は、撮像部を有する外部機器との無線通信を実行可能な情報処理装置であって、前記外部機器に対し、無線通信により前記撮像部による撮影を指示するコマンドを送信する送信部と、前記外部機器から、無線通信により前記撮像部が撮影した画像データを受信する受信部と、前記外部機器から受信した画像データに基づき、文字認識処理を実行し、テキストデータを作成する文字認識処理部と、前記テキストデータを表示する表示部とを具備することを特徴とする。
【００１２】
この情報処理装置によれば、無線を用いた文字認識機能の実現が可能となる。
【００１３】
また、本発明は、撮像部と、前記撮像部が撮影した画像を外部に対して投影する投影部と、前記撮像部により画像を撮影するよう、外部からのコマンドを受信する受信部と、前記受信部が受信したコマンドに応じて前記撮像部が撮影した画像を、圧縮処理する画像処理部と、前記画像処理部が圧縮処理した圧縮画像を送信する送信部とを具備することを特徴とする。
【００１４】
この画像投影装置によれば、無線を用いた文字認識機能の実現が可能となる。
【００１５】
また、本発明は、撮像部と、前記撮像部が撮影した画像を外部に対して投影する投影部と、前記撮像部により画像を撮影するよう、外部からのコマンドを無線通信により受信する受信部と、前記受信部が受信したコマンドに応じて前記撮像部が撮影した画像データを圧縮処理する画像処理部と、前記画像処理部が圧縮処理した圧縮画像データを無線通信により送信する送信部とを具備する画像投影装置と、前記画像投影装置に対し、無線通信により前記撮像部による静止画の撮影を指示するコマンドを送信する送信部と、前記外部機器から、無線通信により前記撮像部が撮影した画像データを受信する受信部と、前記外部機器からの画像データに基づき、文字認識処理を実行し、テキストデータを作成する文字認識処理部と、前記文字認識処理部により作成されたテキストデータを表示する表示部とを具備する情報処理装置と、を有することを特徴とする。
【００１６】
この情報処理システムによれば、無線を用いた文字認識機能の実現が可能となる。
【００１７】
また、本発明は、無線接続された情報処理装置と画像投影装置とで画像イメージ情報を処理する情報処理方法であって、前記情報処理装置から前記画像投影装置へ無線により撮影を指示する撮影指示ステップと、前記画像投影装置が前記撮影の指示を受けて撮影を行う撮影ステップと、前記画像投影装置が撮影ステップで撮影した画像データを圧縮して圧縮画像データを作成する圧縮ステップと、前記情報処理装置から前記画像投影装置に対し、前記圧縮画像データを前記情報処理装置に対して送信するよう、無線により指示する送信指示ステップと、前記送信指示ステップの指示により送信された圧縮画像データを前記情報処理装置において復号する復号ステップと、前記復号ステップにより復号された画像データをもとに、前記情報処理装置において文字認識処理を実行する文字認識ステップとを具備することを特徴とする。
【００１８】
この情報処理方法によれば、無線を用いた文字認識機能の実現が可能となる。
【００１９】
【発明の実施の形態】
以下、図面を参照して本発明の実施形態を説明する。図１には、本発明の一実施形態に係る情報処理装置と画像投影装置とが示されている。この情報処理装置はＰＤＡとして実現されている。画像投影装置はワイヤレスプロジェクタとして実現されている。このＰＤＡ１は、移動端末として機能する携帯型情報処理装置である。ＰＤＡ１は無線ＬＡＮデバイス１３を備えている。無線ＬＡＮデバイス１３は、例えばＩＥＥＥ８０２．１１ａ／ＩＥＥＥ  ８０２．１１ｂ規格に従って、無線通信を実行するように構成された無線通信デバイスである。
【００２０】
ＰＤＡ１には、ワイヤレスユーティリティプログラム１２や文字認識プログラム１５、ビューアプログラム１６が予めインストールされている。ワイヤレスユーティリティプログラム１２はＰＤＡ１とワイヤレスプロジェクタ２との間の無線通信を制御するためのプログラムである。このワイヤレスユーティリティプログラム１２は、ＰＤＡ１に設けられたコマンド入力インタフェース１１からのユーザによるコマンド入力を受け、そのコマンドを無線ＬＡＮデバイス１３を用いてワイヤレスプロジェクタ２に無線信号によって送信する。また、後述するようにワイヤレスプロジェクタ２から、圧縮画像データを受信した後、ワイヤレスユーティリティプログラム１２はＰＤＡ１内で当該圧縮画像データを処理するために画像復号部１４へ圧縮画像データを送信する。画像復号部１４は圧縮画像データを復号して、画像データを生成する機能、いわゆるデコード機能を果たす。この画像復号部１４はデコーダチップのようなハードウェアで実現されても良いし、プロセッサとデコードソフトウェアとの組合せにより実現されても構わない。
この画像復号部は使用する画像圧縮方法に対応しておくことが好ましい。例えば、ｚｌｉｂ方式や、ＰＮＧ方式といった圧縮方法が挙げられる。
【００２１】
ＰＤＡ１内で、画像復号部１４が復号した画像は、ビューアプログラム１６がＬＣＤ１７に表示する。また、ユーザが当該画像データについて、文字認識処理を実行したいという場合、文字認識プログラム１５が画像復号部１４からの画像データに基づいて文字認識処理を実行する。文字認識処理の結果、得られた文字データ（テキストデータ）を、ビューアプログラム１６がＬＣＤ１７に表示することができる。このビューアプログラム１６により表示された画像データや文字データは、ユーザの希望に応じてメモリ１８にファイルとして格納・保存することが可能である。
【００２２】
ワイヤレスプロジェクタ２もＰＤＡ１と同様に、無線ＬＡＮデバイス２１を備えている。無線ＬＡＮデバイス２１は、例えばＩＥＥＥ８０２．１１ａ／ＩＥＥＥ８０２．１１ｂ規格に従って、無線通信を実行するように構成された無線通信デバイスである。ＰＤＡ１とワイヤレスプロジェクタ２との間はこれらの無線通信ＬＡＮデバイス１３と無線通信ＬＡＮデバイス２１とを利用して実現される。
【００２３】
ワイヤレスプロジェクタ２は、外部から入力された画像データや撮像部２３が撮像した画像データに基づき、この画像データに対応する光学像を投影用の大型スクリーン等（図示せず）に投影するものである。
【００２４】
ワイヤレスプロジェクタ２がＰＤＡ１からのコマンドを無線ＬＡＮデバイス２１で受信した後、ワイヤレスプロジェクタ２内のコントローラ２２がそのコマンドの内容等を判別し、コマンドに応じた動作制御を行う。例えば、後述するように、ＰＤＡ１から撮影コマンドを受信した場合、コントローラ２２は撮像部２３に対して静止画を撮影するようにコマンドを送出する。その後、コントローラ２２は撮像部２３からの画像データを画像圧縮部２４に対して送る。画像圧縮部２４はこの画像データに基づき、画像圧縮処理を実行する。
【００２５】
また、コントローラ２２がコマンドの内容を、後述するＧｅｔコマンドであると判別した場合、コントローラ２２は圧縮画像データを無線ＬＡＮデバイス２１を介してＰＤＡ１に対して送出する。圧縮画像データを保持していない場合は、無線ＬＡＮデバイス２１を介して、ＰＤＡ１に対しエラーの通知を行う。
【００２６】
次に、図２を参照して、ＰＤＡ１のシステム構成を説明する。ＰＤＡ１は、上述の無線ＬＡＮデバイス１３、ＬＣＤ１７、メモリ１８に加え、図示のように、ＣＰＵ１０１、システムコントローラ１０２、グラフィックスコントローラ１０３、ＶＲＡＭ１０４、タブレットコントローラ１０５、タブレット１０６、Ｉ／Ｏコントローラ１０７、メモリカード１０８、および操作ボタン群１０９などを備えている。
【００２７】
ＣＰＵ１０１は本ＰＤＡ１の動作を制御するために設けられたプロセッサであり、オペレーティングシステム（ＯＳ）および各種アプリケーションプログラム／ユーティリティプログラムを実行する。オペレーティングシステム（ＯＳ）は、ペン入力操作を実現するためのタブレット制御機能を有している。
【００２８】
システムコントローラ１０２は、ＣＰＵ１０１のローカルバスとシステムバス１００との間を接続するブリッジデバイスである。システムコントローラ１０２は、メモリ１８を制御するメモリコントローラも内蔵している。グラフィックスコントローラ１０３はＬＣＤ１７を制御することによって、ＶＲＡＭ１０４に描画された画面イメージデータをＬＣＤ１７に表示する。ＬＣＤ１７の表示解像度は、ＶＧＡ（６４０×４８０）の１／４の解像度であるＱＶＧＡ（３２０×２４０）である。各アプリケーションプログラムおよびユーティリティプログラムは、表示ドライバなどを介してＱＶＧＡサイズの画面イメージをＶＲＡＭ１０４に描画する。
【００２９】
メモリ１８は、オペレーティングシステム（ＯＳ）および各種アプリケーションプログラム／ユーティリティプログラムが格納された不揮発性メモリと、主メモリとして使用されるＲＡＭとを備えている。不揮発性メモリには、上述のワイヤレスユーティリティプログラム１２、文字認識プログラム１５、ビューアプログラム１６も格納されている。
【００３０】
ＶＲＡＭ１０４は、オンスクリーンエリアとオフスクリーンエリアとを有している。オンスクリーンエリアはＬＣＤ１７に表示される画面イメージデータを格納する記憶領域であり、フレームバッファとして使用される。グラフィックスコントローラ１０３は、オンスクリーンエリアから画面イメージデータを順次読み出し、それをＬＣＤ１７に表示する。
【００３１】
タブレットコントローラ１０５は、タブレット１０６を制御する。タブレット１０６は、ＬＣＤ１７の表示面上に設けられた透明の座標検出装置から構成されている。ＬＣＤ１７とタブレット１０６とにより、ペン入力操作可能なタッチスクリーンが構成される。
【００３２】
Ｉ／Ｏコントローラ１０７は、ＰＤＡ１に取り外し自在に装着されるメモリカード１０８の制御、および操作ボタン群１０９の制御を行う。操作ボタン群１０９は、例えば、パワーボタン、特定のアプリケーションを起動するためのアプリケーションボタン、カーソルキー、などの複数の操作ボタンから構成されている。
【００３３】
次に図３を参照して、ワイヤレスプロジェクタ２のシステム構成について説明する。ワイヤレスプロジェクタ２は上述の無線ＬＡＮデバイス２１、コントローラ２２、撮像部２３、画像圧縮部２４のほかに、操作ボタン２０１、画像出力部２０２、液晶パネル２０３を具備している。操作ボタン２０１をユーザが操作することで、ワイヤレスプロジェクタ２の電源操作や、投影時の操作等を行うことができる。コントローラ２２はこのワイヤレスプロジェクタ２の制御をつかさどるコントローラであり、操作ボタン２０１からの入力や、無線ＬＡＮデバイス２１を介したコマンドの受信、画像データの送信、撮像部２３からの画像データの処理等を実行する。
【００３４】
撮像部２３は、このワイヤレスプロジェクタ２が有するカメラであり、この撮像部２３が撮影した画像はリアルタイムでコントローラ２２、画像出力部２０２を介して液晶パネル２０３に表示され、壁面やスクリーン（図示せず）に投影される。この撮像部２３は、リアルタイムで動画を撮影する他に、コントローラ２２からの指示によって静止画を撮影することが可能である。撮像部２３が撮影した画像を無線ＬＡＮデバイス２１で送信する場合等、画像データを取り扱いやすくするために、画像圧縮部２３が画像圧縮を行う。画像圧縮部２３は上述の通り、デコーダチップのようなハードウェア的処理で実現しても構わないし、プロセッサとソフトウェアによるソフトウェア的処理で実現しても構わない。画像圧縮の方式はｚｌｉｂやＰＮＧなど、適宜選択することが可能である。
【００３５】
次に、ワイヤレスユーティリティプログラム１２によって実行されるＰＤＡ１とワイヤレスプロジェクタ２との間の接続処理の手順について図４、図５を参照して説明する。
【００３６】
ワイヤレスユーティリティプログラム１２が起動された時、ワイヤレスユーティリティプログラム１２は、ＰＤＡ１の周囲に存在するワイヤレスプロジェクタを検出する。この検出の際、ＰＤＡ１と通信可能なデバイスを検出のための機器発見処理（デバイスディスカバリー処理）が実行される。
【００３７】
すなわち、ワイヤレスユーティリティプログラム１２は、無線ＬＡＮデバイス１３を用いて機器発見のためのデバイスディスカバリーコマンドをブロードキャストし、そのデバイスディスカバリーコマンドに対する応答を待つ。デバイスディスカバリーコマンドを受信した各ワイヤレスプロジェクタ２は、自身の無線ＬＡＮデバイス２１に割り当てられたＭＡＣアドレスと自身のデバイスタイプ（＝プロジェクタ）を示す識別子とを含む応答をＰＤＡ１に返す。この応答により、ワイヤレスユーティリティプログラム１２は、ＰＤＡ１から送信される無線信号が届く範囲内に存在する各ワイヤレスプロジェクタを検出することが出来る。
【００３８】
そして、ワイヤレスユーティリティプログラム１２は、検出されたワイヤレスプロジェクタの一覧をプロジェクタリストとして表示する（図４の画面中、「Ｐｒｏｊｅｃｔｏｒ」欄参照。）。プロジェクタリスト上のあるワイヤレスプロジェクタがユーザによって選択された時、ワイヤレスユーティリティプログラム１２は、このウィンドウに［ＧＯ］ボタンを表示する。
【００３９】
図４は、ワイヤレスユーティリティプログラム１２によってＬＣＤ１７に表示されるワイヤレスユーティリティウィンドウを示している。ユーザによってワイヤレスユーティリティプログラム１２が起動された時、図４のワイヤレスユーティリティウィンドウ３０１がＬＣＤ１２の画面上に表示される。
【００４０】
ワイヤレスユーティリティウィンドウ３０１には、図示のように、［ＧＯ］ボタン、［ＳＴＯＰ］ボタン、［撮影］ボタン、［Ｇｅｔ］ボタンが配置されている。［ＧＯ］ボタンは、ＰＤＡ１からワイヤレスプロジェクタ２との間の接続を確立させるためのボタンであり、また、ワイヤレスプロジェクタ２にＰＤＡ１で表示している画面イメージデータを自動送信するための画面キャプチャ機能の開始を指示するためのボタンである。［ＧＯ］ボタンがユーザのペン操作によってタップ（クリック）された時、画面キャプチャ機能が開始される。［ＳＴＯＰ］ボタンは画面キャプチャ機能の停止を指示するためのボタンである。
【００４１】
［撮影］ボタンは、ＰＤＡ１からワイヤレスプロジェクタ２に対して、ワイヤレスプロジェクタ２が具備する撮像部２３により静止画を撮影するように指示するためのボタンである。画面上の［撮影］ボタンがユーザのペン操作によってタップ（クリック）されると、ＰＤＡ１から撮影を指示するコマンドがワイヤレスプロジェクタ２に送出され、ワイヤレスプロジェクタ２にて、撮像部２３を用いた静止画の撮影が実行される。
【００４２】
［Ｇｅｔ］ボタンは［撮影］ボタンにより指示されて撮影された静止画について、その静止画のデータの入手を指示するためのボタンである。画面上の［Ｇｅｔ］ボタンがユーザのペン操作によってタップ（クリック）されると、ＰＤＡ１からワイヤレスプロジェクタ２に対して、ワイヤレスプロジェクタ２で圧縮処理された圧縮画像データをＰＤＡ１に対して送出するように指示するコマンドが送出される。［撮影］ボタンにより指示した静止画について取り込みが不要である場合は、この［Ｇｅｔ］ボタンを用いなければよい。必要な画像が現れた時に［撮影］ボタンで指示し、そこで［Ｇｅｔ］ボタンを使用すればよい。［撮影］ボタンだけで画像データの受信まで行うと、あやまって［撮影］ボタンを押した時も画像データの転送が行われてしまい、無駄があるが、このように［Ｇｅｔ］ボタンを設けることで、そのような無駄を避けることができる。
【００４３】
図５は、ＰＤＡ１とワイヤレスプロジェクタ２との間での、撮像部２３に対する撮影コマンド送出や、撮影後の静止画の画像データに基づく文字認識処理に関する動作について示した図である。
【００４４】
まず、ＰＤＡ１上で、［ＧＯ］ボタンがユーザによってタップされた時、ワイヤレスユーティリティプログラム１２は、プロジェクタリストから選択されたワイヤレスプロジェクタ２に接続要求を送信する。選択されたワイヤレスプロジェクタ２から接続許可を受信することで、対象のワイヤレスプロジェクタ２との無線接続を確立する。この段階で、ＰＤＡ１と選択されたワイヤレスプロジェクタ２との間の物理無線リンクの確立のみならず、その間のセッションも確立される。
【００４５】
続いてユーザがＰＤＡ１の画面上で、［撮影］ボタンをタップしたとき、ＰＤＡ１からワイヤレスプロジェクタ２に対して、無線ＬＡＮデバイス１３を介して撮影コマンドが送出される。ワイヤレスプロジェクタ２はこの撮影コマンドを無線ＬＡＮデバイス２１で受信し、コントローラ２２がコマンドの解釈を行う。コントローラ２２が受信したコマンドについて、撮像部２３を用いて静止画を撮影するための撮影コマンドである、と判別した場合、コントローラ２２は撮像部２３に対して静止画の撮影を指示する。撮像部２３はこの指示を受けて、静止画の撮影を実行する。
【００４６】
静止画の撮影を実行した後、画像データはコントローラ２２を介して画像圧縮部２４に送られる。ここで画像圧縮部２４が画像データの圧縮処理を行う。圧縮された画像データは次の撮影が行われるまで、ワイヤレスプロジェクタ２に保持されている。
【００４７】
ユーザがＰＤＡ１上で続いて［Ｇｅｔ］ボタンをタップした場合、ＰＤＡ１はこのＧｅｔコマンドをワイヤレスプロジェクタ２に対して送出する。このＧｅｔコマンドは、ワイヤレスプロジェクタ２から、圧縮された画像データ（圧縮画像データ）を無線で受信するためのコマンドである。このコマンドを受信したワイヤレスプロジェクタ２は、無線ＬＡＮデバイス２１を介してＰＤＡ１に対し圧縮画像データを伝送する。
【００４８】
ＰＤＡ１から撮影コマンドを送出して、ワイヤレスプロジェクタ２の側に圧縮画像データが存在する場合は上記の処理が行われるが、仮に、撮影コマンドを送出する前にユーザがＧｅｔコマンドを送出してしまった場合、ワイヤレスプロジェクタ２から画像データを得ることができない。この場合、ワイヤレスプロジェクタ２のコントローラ２２は、無線ＬＡＮデバイス２１を介し、エラー通知をＰＤＡ１に対して送出する。
【００４９】
ＰＤＡ１はワイヤレスプロジェクタ２に対してＧｅｔコマンドを送出した後、受信した情報がエラー通知かどうか判別する。エラー通知である場合、エラーを表示する。エラー通知ではなく、圧縮画像データを受信した場合、ＰＤＡ１は引き続き、画像復号を行う。画像復号を行った後、この画像データを用いてＰＤＡ１はＬＣＤ１７の画面に表示を行う。
【００５０】
図６はワイヤレスユーティリティプログラム１２によってＬＣＤ１７に表示されるワイヤレスユーティリティウィンドウであり、ユーザが［Ｇｅｔ］ボタンをタップして入手した画像を表示している画面の例を示す図である。この時点ではまだ文字認識機能を実行していないため、画面上に表示される画像はイメージデータのままである。このことを示すため、画面の左上方に「Ｉｍａｇｅ」という文字を表示している。この画面では［読取り］、［保存］、［Ｃａｎｃｅｌ］といったボタンが表示されている。
【００５１】
この状態でユーザが［読取り］ボタンをタップすると、ＰＤＡ１は文字認識プログラム１５を呼び出して、画面上に表示した画像データについて文字認識を実行し、テキストファイルを作成する。この文字認識プログラムは従来から用いられている光学式文字認識プログラム等を流用することができる。［保存］ボタンは、画面に表示している画像データをメモリ１８に保存するためのボタンである。［Ｃａｎｃｅｌ］ボタンをタップすると、この画像データの表示がキャンセルされる。
【００５２】
図７は図６における［読取り］ボタンのタップで文字認識プログラム１５が動作を開始し、文字認識が終了した時点の画面の例を示す図である。文字認識機能が実行されたため、画面上に表示される画像は、テキストデータに基づくものである。このことを示すため、画面の左上方に「Ｔｅｘｔ」という文字を表示している。この画面では［保存］、［Ｃａｎｃｅｌ］のボタンが表示されている。ユーザが［保存］ボタンをタップすると、ＰＤＡ１は画面に表示しているテキストデータをテキストファイルとしてメモリ１８に保存する。［Ｃａｎｃｅｌ］ボタンをタップすると、このテキストデータの表示がキャンセルされる。
【００５３】
このようにして、ユーザがＰＤＡ１を用いて、簡単にワイヤレスプロジェクタ２の撮像部２３による静止画撮影を行い、無線通信でその画像データを入手した後、文字認識を実行することで、テキストデータ化することが可能となる。また、ワイヤレスプロジェクタ２の側で画像圧縮を実行するので、無線通信におけるデータ量を削減することが可能となり、無線通信の効率を上げることができる。
【００５４】
特に、ワイヤレスプロジェクタ２の撮像部２３を用いて、ある原稿を投影しているとき、その原稿の内容をすぐにテキストデータ化したい場合などに好適である。
【００５５】
なお、本発明は、上記実施形態に限定されるものではなく、実施段階ではその要旨を逸脱しない範囲で種々に変形することが可能である。更に、上記実施形態には種々の段階の発明が含まれており、開示される複数の構成要件における適宜な組み合わせにより種々の発明が抽出され得る。例えば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成が発明として抽出され得る。
【００５６】
【発明の効果】
以上のように、本発明によれば、画面イメージを無線によって効率よくプロジェクタのような外部機器に送信することが可能な情報処理装置を実現することが可能となる。
【図面の簡単な説明】
【図１】本発明の一実施形態に係る情報処理装置及び画像投影装置の機能を説明するためのブロック図。
【図２】同実施形態の情報処理装置のシステム構成を示すブロック図。
【図３】同実施形態の画像投影装置のシステム構成を示すブロック図。
【図４】同実施形態のワイヤレスユーティリティソフトウェアの動作時における情報処理装置の画面の例を示す図。
【図５】同実施形態の情報処理装置とプロジェクタとの間で実行される通信の様子と、各処理の流れを示す図。
【図６】同実施形態のワイヤレスユーティリティソフトウェアの動作時における情報処理装置の画面の例を示す図。
【図７】同実施形態のワイヤレスユーティリティソフトウェアの動作時における情報処理装置の画面の例を示す図。
【符号の説明】
１…ＰＤＡ、２…ワイヤレスプロジェクタ、１１…コマンド入力インタフェース、１２…ワイヤレスユーティリティプログラム、１３…無線ＬＡＮデバイス、１４…画像復号部、１５…文字認識プログラム、１６…ビューアプログラム、１７…ＬＣＤ、１８…メモリ、２１…無線ＬＡＮデバイス、２２…コントローラ、２３…撮像部、２４…画像圧縮部、１０１…ＣＰＵ、１０２…システムコントローラ、１０３…グラフィックスコントローラ、１０４…ＶＲＡＭ、１０５…タブレットコントローラ、１０６…タブレット、１０７…Ｉ／Ｏコントローラ、１０８…メモリカード、１０９…操作ボタン、２０１…操作ボタン、２０２…画像出力部、２０３…液晶パネル
【図１】
2004260511.tif 000003
【図２】
2004260511.tif 000004
【図３】
2004260511.tif 000005
【図４】
2004260511.tif 000006
【図５】
2004260511.tif 000007
【図６】
2004260511.tif 000008
【図７】
2004260511.tif 000009